(57)【要約】【課題】  バス信号を検出するバス信号検出装置を接続して装置内部のバス信号を検出できるようにする。【解決手段】  プログラムを格納するＦＲＯＭ１０と、ＦＲＯＭ１０にダウンロードするプログラムを格納したＩＣカード２を接続するＩＣカードコネクタ１１と、ＩＣカードコネクタ１１に接続されるバスの動作電圧とデータの入出力の方向を変換するデータバスバッファを備え、データバスバッファ制御回路１４がＩＣカードコネクタ１１にバス信号を検出するロジックアナライザ４を接続するバスモニタ治具ボード３が接続された場合、データバスバッファ１２のデータの出力方向を変更する。【選択図】        図１
2007052479.tif 000002
【特許請求の範囲】
【請求項１】
プログラムを格納するプログラム格納手段と、前記プログラム格納手段にダウンロードするプログラムを格納した記録媒体を接続する記録媒体接続手段と、前記記録媒体接続手段に接続されるバスの動作電圧とデータの入出力の方向を変換する電圧方向変換手段とを備えた制御装置において、
前記記録媒体接続手段にバス信号を検出するバス信号検出装置を接続する接続装置が接続された場合、前記電圧方向変換手段のデータの出力方向を変更する制御手段を設けたことを特徴とする制御装置。
【請求項２】
請求項１記載の制御装置において、前記記録媒体接続手段に、前記接続装置からの接続検知信号をアサインするようにしたことを特徴とする制御装置。
【請求項３】
請求項２記載の制御装置において、前記制御手段は、前記記録媒体接続手段に前記接続装置が接続された場合、前記接続装置からの接続検知信号に基づいて前記電圧方向変換手段のデータの出力方向を変更する手段であることを特徴とする制御装置。
【発明の詳細な説明】
【技術分野】
【０００１】
この発明は、プリンタ、ファクシミリ、複写機を含む制御装置に関する。
【背景技術】
【０００２】
従来、ＩＣカードに書かれたダウンロード用プログラムを装置内部のフラッシュロム（ＦＲＯＭ）にダウンロードする画像形成装置（例えば、特許文献１参照）があった。
近年、上述のような画像形成装置で使用されるＩＣカードは、ＩＣの低電圧化に伴って動作電圧が画像形成装置内部の回路と異なることが多くなっている（例えば、画像形成装置内部回路は３．３Ｖ、ＩＣカードは５Ｖ）。
その場合、例えば、ＩＣカードから出力される５Ｖ信号が画像形成装置３．３Ｖの内部回路に入力されるとその内部回路が破損する恐れがあるため、ＩＣカードとの間に電圧変換回路（一般的にはバッファ）を設ける必要があった。
特にデータバスのような双方向信号の場合、データの流れる方向に応じて電圧変換回路の方向を変換する必要がある。
その場合、一般にリードの場合は入力方向、ライトの場合は出力方向となり、また、電圧変換回路出力はＩＣカードのチップセレクト信号により出力イネーブルとなる。
【０００３】
また、ＩＣカードを接続するＩＣカードコネクタには、アドレスバス、データバスを含む各種のバスのバス信号がアサインされていることから、ＩＣカードコネクタからバス信号をロジックアナライザに取り込むことにより、画像形成装置のバスを容易にモニタすることができ、デバッグを含む各種の作業に非常に便利である。
その場合、ＩＣカードコネクタとロジックアナライザのインタフェース変換を行うためのバスモニタ治具ボードを使い、ＩＣカードコネクタにバスモニタ治具ボードを装着し、バスモニタ治具ボードにロジックアナライザのポッドを接続することで、容易にバスをモニタすることが可能となる。
【特許文献１】特開２００２−２４７２５２号公報
【発明の開示】
【発明が解決しようとする課題】
【０００４】
しかしながら、上述のようにバスモニタ治具ボードを使ってロジックアナライザで画像形成装置のバスの信号をモニタする場合、データ方向は常に出力方向で出力されていなければならない。
そのため、上記のような方向変換を行う電圧変換回路がある場合、バスモニタ治具ボードを使ってロジックアナライザで信号をモニタすることが出来ないという問題があった。
この発明は上記の点に鑑みてなされたものであり、装置内部のバス信号を検出できるようにすることを目的とする。
【課題を解決するための手段】
【０００５】
この発明は上記の目的を達成するため、次の制御装置を提供する。
（１）プログラムを格納するプログラム格納手段と、上記プログラム格納手段にダウンロードするプログラムを格納した記録媒体を接続する記録媒体接続手段と、上記記録媒体接続手段に接続されるバスの動作電圧とデータの入出力の方向を変換する電圧方向変換手段とを備えた画像形成装置において、上記記録媒体接続手段にバス信号を検出するバス信号検出装置を接続する接続装置が接続された場合、上記電圧方向変換手段のデータの出力方向を変更する制御手段を設けた制御装置。
【０００６】
（２）上記（１）の制御装置において、上記記録媒体接続手段に、上記接続装置からの接続検知信号をアサインするようにした制御装置。
（３）上記（２）の制御装置において、上記制御手段は、上記記録媒体接続手段に上記接続装置が接続された場合、上記接続装置からの接続検知信号に基づいて上記電圧方向変換手段のデータの出力方向を変更する手段である制御装置。
【発明の効果】
【０００７】
この発明による制御装置は、バス信号を検出するバス信号検出装置を接続して装置内部のバス信号を検出することができる。
【発明を実施するための最良の形態】
【０００８】
以下、この発明を実施するための最良の形態を図面に基づいて具体的に説明する。
〔実施例〕
図４及び図５は、この発明の前提となる画像形成装置の機能構成を示すブロック図である。
この画像形成装置１は、プリンタ、ファクシミリ、複写機を含む装置であり、ＩＣカードコネクタ１１を有し、そのＩＣカードコネクタ１１にＩＣカード２が接続可能である。
【０００９】
この画像形成装置１のＦＲＯＭ１０は、この画像形成装置１で実行される各種のプログラムを格納するプログラム格納手段に相当するメモリである。
ＩＣカードコネクタ１１は、ＦＲＯＭ１０にダウンロードするプログラムを格納した記録媒体であるＩＣカード２を接続する記録媒体接続手段の機能を果たす。
データバスバッファ１２は、ＩＣカードコネクタ１１に接続されるバスの動作電圧とデータの入出力の方向を変換する電圧方向変換手段の機能を果たす。
ＣＰＵ１３は、ＦＲＯＭ１０に格納されたプログラムを実行することによってこの画像形成装置１の全体の制御を司るマイクロコンピュータである。
【００１０】
この画像形成装置１におけるＩＣカード２に格納されたプログラムデータのダウンロードは、図４に示すように、ＣＰＵ１３の制御によってＩＣカード２からプログラムデータをリードし、その後、ＦＲＯＭ１０に書き込むことによってプログラムデータのダウンロードを行っている。
ここで、データバスバッファ１２のデータ入出力方向は、ＣＰＵ１３からのリード信号又はライトイネーブル信号の制御信号によって図中にＩＣカードリード方向ａで示す入力方向に制御され、また、データバスバッファ１２の出力イネーブルは、ＩＣカードチップセレクト信号がイネーブル時に出力イネーブルとなるように制御される。
【００１１】
一方、プログラムデータをＩＣカード２に格納するアップロードは、図５に示すように、ＣＰＵ１３はＦＲＯＭ１０から読み出したプログラムデータをＩＣカード２に書き込むことによってプログラムデータのアップロードを行っている。
ここで、データバスバッファ１２のデータ入出力方向は、ＣＰＵ１３からのリード信号又はライトイネーブル信号の制御信号によって図中にＩＣカードライト方向ｂで示す出力方向に制御され、また、データバスバッファ１２の出力イネーブルは、ＩＣカードチップセレクト信号がイネーブル時に出力イネーブルとなるように制御される。
【００１２】
次に、この発明の実施例の画像形成装置について説明する。
図１は、この実施例の画像形成装置１の機能構成を示すブロック図であり、図４及び図５と共通する部分には同一符号を付している。
この画像形成装置１では、ＩＣカードコネクタ１１にバス信号を検出するバス信号検出装置であるロジックアナライザ４を接続する接続装置のバスモニタ治具ボード３が接続された場合、データバスバッファ１２のデータの出力方向を変更する制御手段の機能を果たすデータバスバッファ制御回路１４を設けている。
また、ＩＣカードコネクタ１１に、バスモニタ治具ボード３からのバスモニタ治具ボード接続検知信号をアサインするようにしている。
そして、データバスバッファ制御回路１４は、ＩＣカードコネクタ１１にバスモニタ治具ボード３が接続された場合、バスモニタ治具ボード３からのバスモニタ治具ボード接続検知信号に基づいてデータバスバッファ１２のデータの出力方向を変更する。
【００１３】
図２は、この実施例の画像形成装置１のＩＣカードコネクタ１１にＩＣカード２を接続した状態を示す図である。
ここでは、画像形成装置１のＩＣカードコネクタ１１にＩＣカード２が接続されている状態を示している。
図３は、この実施例の画像形成装置１のＩＣカードコネクタ１１にバスモニタ治具ボード３を接続した状態を示す図である。
ここでは、画像形成装置１のＩＣカードコネクタ１１にバスモニタ治具ボード３が接続されている状態を示している。
【００１４】
データバスバッファ制御回路（データバスバッファ制御部）１４は、ＩＣカードコネクタ１１からバスモニタ治具ボード３のバスモニタ治具ボード接続検知信号によってバスモニタ治具ボード３の接続を検知すると、データバスバッファ１２へ制御信号を送ってデータの出力方向を図中の矢示の方向Ｃに切り替えて、アドレスバス、データバスを含む各種のバスのバス信号の出力（バスモニタ治具ボード３への出力）を常時イネーブルにする。
このようにして、ＩＣカードコネクタ１１のインタフェースにデータバスバッファ１２を有する場合でも、ＩＣカードコネクタ１１にバスモニタ治具ボード３を接続し、そのバスモニタ治具ボード３に接続したロジックアナライザ４によって画像形成装置１の内部の各種バスのバス信号を容易にモニタすることが可能になる。
【００１５】
一方、ＩＣカードコネクタ１１にバスモニタ治具ボード３が接続されていない場合、データバスバッファ制御回路１４は、データバスバッファ１２へ制御信号を送ってデータバスバッファ１２の出力イネーブルをディセーブルとなるように制御する。
このようにして、通常時には、データバスバッファ１２を駆動させないので、無駄な消費電流を発生させずに済み、バッファ駆動によるノイズの発生も抑えることができる。
【００１６】
また、ＩＣカードコネクタ１１にＩＣカード２が接続された場合、ＩＣカード２に格納されたプログラムデータのダウンロードは、ＣＰＵ１３からのリード信号又はライトイネーブル信号の制御信号をデータバスバッファ制御回路１４へ送り、データバスバッファ制御回路１４がその制御信号をデータバスバッファ１２へ送ってデータバスバッファ１２のデータ入出力方向を、ＩＣカードリード方向（入力方向）に切り替え制御し、また、データバスバッファ１２の出力イネーブルは、ＩＣカードチップセレクト信号がイネーブル時に出力イネーブルとなるように制御する。
こうして、ＩＣカード２からプログラムデータをリードしてＦＲＯＭ１０にダウンロードする。
【００１７】
一方、プログラムデータをＩＣカード２に格納するアップロードは、ＣＰＵ１３からのリード信号又はライトイネーブル信号の制御信号をデータバスバッファ制御回路１４へ送り、データバスバッファ制御回路１４がその制御信号をデータバスバッファ１２へ送ってデータバスバッファ１２のデータ入出力方向を、ＩＣカードライト方向（出力方向）に切り替え制御し、また、データバスバッファ１２の出力イネーブルは、ＩＣカードチップセレクト信号がイネーブル時に出力イネーブルとなるように制御する。
こうして、ＦＲＯＭ１０のプログラムデータをリードしてＩＣカード２にアップロードする。
【産業上の利用可能性】
【００１８】
この発明による制御装置は、デスクトップパソコン，ノートブックパソコンを含むパーソナルコンピュータにおいても適用することができる。
【図面の簡単な説明】
【００１９】
【図１】この発明の実施例の画像形成装置１の機能構成を示すブロック図である。
【図２】この発明の実施例の画像形成装置１のＩＣカードコネクタ１１にＩＣカード２を接続した状態を示す図である。
【図３】この発明の実施例の画像形成装置１のＩＣカードコネクタ１１にバスモニタ治具ボード３を接続した状態を示す図である。
【図４】この発明の前提となる画像形成装置の機能構成を示すブロック図である。
【図５】同じくこの発明の前提となる画像形成装置の機能構成を示すブロック図である。
【符号の説明】
【００２０】
１：画像形成装置    ２：ＩＣカード    ３：バスモニタ治具ボード    ４：ロジックアナライザ    １０：ＦＲＯＭ    １１：ＩＣカードコネクタ    １２：データバスバッファ    １３：ＣＰＵ    １４：データバスバッファ制御回路
【図１】
2007052479.tif 000003
【図２】
2007052479.tif 000004
【図３】
2007052479.tif 000005
【図４】
2007052479.tif 000006
【図５】
2007052479.tif 000007